(57)【要約】      （修正有）【課題】簡易な手段で使用者の体温を外側に逃がさないようにして使用者の体温を利用して効率良く保温することができる保温用履物を提供する。【解決手段】保温用履物１は、足の裏に当接する底部１１と、足の甲及び踵を覆うアッパー１２とを備えた保温用履物１であって、底部１１及びアッパー１２は、何れも、外側が気密性の素材で形成された外側部材Ｘと、内側がアルミシートである内側部材Ｙと、この内側部材Ｙと外側部材Ｘとの間に設けられる断熱材Ｚとを有するものである。【選択図】図１
0003128875.tif 000002
【実用新案登録請求の範囲】
【請求項１】
足の裏に当接する底部と、足の甲及び踵を覆うアッパーとを備えた保温用履物であって、
前記底部及び前記アッパーは、何れも、外側が気密性の素材で形成された外側部材と、内側がアルミシートである内側部材と、この内側部材と前記外側部材との間に設けられる断熱材とを有する
ことを特徴とする保温用履物。
【請求項２】
断熱材は、クッション性を有するものであり、
アッパーには、使用者の足を挿入するための履き口が形成され、
前記履き口は前記アッパーの外側部材が折り返され、該折り返された部位は前記アッパーの内側部材に縫製されて履き口縁部が形成されると共に、前記履き口はくるぶしより上に位置し、
前記履き口縁部の内側であって足の踵の上方の部位より前記足の甲の上方の部位に近い側であると共に、対向するように設けられた面状ファスナとを備えている
ことを特徴とする請求項１記載の保温用履物。
【請求項３】
断熱材は、クッション性を有するものであり、
アッパーには、使用者の足を挿入するための履き口が形成され、
前記履き口は前記アッパーの外側部材が折り返され、該折り返された部位は前記アッパーの内側部材に縫製されて履き口縁部が形成されると共に、前記履き口はくるぶしより上に位置し、
前記履き口縁部の内側であって足の踵の上方の部位より前記足の甲の上方の部位に近い側であると共に、対向するように設けられた面状ファスナとを備え、
前記面状ファスナは、前記履き口縁部の内側に対向するように２個設けるか、または、前記履き口縁部の内側に対向するように１個細長く設けるかの何れかである
ことを特徴とする請求項１記載の保温用履物。
【請求項４】
断熱材は、クッション性を有するものであり、
アッパーには、使用者の足を挿入するための履き口が形成され、
前記履き口は前記アッパーの外側部材が折り返され、該折り返された部位は前記アッパーの内側部材に縫製されて履き口縁部が形成されると共に、前記履き口はくるぶしより上に位置し、
前記履き口縁部の内側であって足の踵の上方の部位より前記足の甲の上方の部位に近い側であると共に、対向するように設けられた面状ファスナとを備え、
底部を構成する底部材と、
前記アッパーは、足の左側に位置する左側アッパー部材と、前記足の右側に位置する右側アッパー部材とを有し、前記底部材、前記左側アッパー部材及び前記右側アッパー部材は縫製により一体化され、
前記底部材、前記左側アッパー部材及び前記右側アッパー部材は、何れも、外側部材、内側部材及び断熱材で構成され、前記外側部材、前記内側部材及び前記断熱材は、折り曲げ自在で、
対向する面状ファス同士を接合して履き口を偏平した状態において、前記履き口の長さを保温用履物の長手方向の全長長さの少なくとも１／２以上長く設定されていることを特徴とする請求項１記載の保温用履物。
【請求項５】
手の表に当接する表部と、前記手の裏に当接する裏部とを備え、この裏部と前記表部との間に手を入れる開口部を有した保温用手袋であって、
前記表部及び前記裏部は、何れも、外側が気密性の素材で形成された外側部材と、内側がアルミシートである内側部材と、この内側部材と前記外側部材との間に設けられる断熱材とを有する
ことを特徴とする保温用手袋。
【請求項６】
開口部を残して、表部と裏部とは縫製により一体化された保温用手袋であって、
断熱材は、クッション性を有するものであり、
前記開口部は前記表部及び前記裏部の外側部材がそれぞれ折り返され、該折り返された部位は前記表部及び前記裏部の内側部材に縫製されて開口縁部が形成され、
前記開口縁部の内側であって挿入された前記手の右側に位置すると共に、対向するように設けられた右側面状ファスナと、
前記開口縁部の内側であって挿入された前記手の左側に位置すると共に、対向するように設けられた左側面状ファスナとを備えている
ことを特徴とする請求項５記載の保温用手袋。
【請求項７】
開口部を残して、表部と裏部とは縫製により一体化された保温用手袋であって、
断熱材は、クッション性を有するものであり、
前記開口部は前記表部及び前記裏部の外側部材がそれぞれ折り返され、該折り返された部位は前記表部及び前記裏部の内側部材に縫製されて開口縁部が形成され、
前記開口縁部の内側であって挿入された前記手の右側に位置すると共に、対向するように設けられた右側面状ファスナと、
前記開口縁部の内側であって挿入された前記手の左側に位置すると共に、対向するように設けられた左側面状ファスナとを備え、
前記右側面状ファスナは、前記開口縁部の内側に対向するように２個設けるか、または、前記開口縁部の内側に対向するように１個細長く設けるかの何れかであり、
前記左側面状ファスナは、前記開口縁部の内側に対向するように２個設けるか、または、前記開口縁部の内側に対向するように１個細長く設けるかの何れかである
ことを特徴とする請求項５記載の保温用手袋。
【考案の詳細な説明】
【技術分野】
【０００１】
本考案は、保温用履物及び保温用手袋に係り、特に、簡易な手段で使用者の体温を外側に逃がさないようにして使用者の体温を利用して効率良く保温することができる保温用履物及び保温用手袋に関する。
【背景技術】
【０００２】
保温用履物の履物として、足が当たる部位に、自己温度制御特性を持つ平面状発熱素子を配設して、平面状発熱素子を発熱させ、足を暖めるようにしている（特許文献１参照）。
【０００３】
しかしながら、上記の保温用履物の履物にあっては、平面状発熱素子、該平面状発熱素子に電力を供給する電池、前記平面状発熱素子を制御する制御回路等が必要で、容易に製作できないと共に、容量的にも嵩張るという問題点があった。
【特許文献１】実開平６−５２５０２号公報
【考案の開示】
【考案が解決しようとする課題】
【０００４】
本考案は、前記した問題点を除去するようにした保温用履物及び保温用手袋を提供することを目的としている。
【課題を解決するための手段】
【０００５】
前記した目的を達成するための本考案の保温用履物は、足の裏に当接する底部と、足の甲及び踵を覆うアッパーとを備えた保温用履物であって、前記底部及び前記アッパーは、何れも、外側が気密性の素材で形成された外側部材と、内側がアルミシートである内側部材と、この内側部材と前記外側部材との間に設けられる断熱材とを有するものである。  
【０００６】
また、請求項２記載の保温用手袋は、請求項１記載の保温用履物において、断熱材は、クッション性を有するものであり、アッパーには、使用者の足を挿入するための履き口が形成され、前記履き口は前記アッパーの外側部材が折り返され、該折り返された部位は前記アッパーの内側部材に縫製されて履き口縁部が形成されると共に、前記履き口はくるぶしより上に位置し、前記履き口縁部の内側であって足の踵の上方の部位より前記足の甲の上方の部位に近い側であると共に、対向するように設けられた面状ファスナとを備えているものである。
【０００７】
また、請求項３記載の保温用手袋は、請求項１記載の保温用履物において、断熱材は、クッション性を有するものであり、アッパーには、使用者の足を挿入するための履き口が形成され、前記履き口は前記アッパーの外側部材が折り返され、該折り返された部位は前記アッパーの内側部材に縫製されて履き口縁部が形成されると共に、前記履き口はくるぶしより上に位置し、前記履き口縁部の内側であって足の踵の上方の部位より前記足の甲の上方の部位に近い側であると共に、対向するように設けられた面状ファスナとを備え、
前記面状ファスナは、前記履き口縁部の内側に対向するように２個設けるか、または、前記履き口縁部の内側に対向するように１個細長く設けるかの何れかである。
【０００８】
また、請求項４記載の保温用手袋は、請求項１記載の保温用履物において、断熱材は、クッション性を有するものであり、アッパーには、使用者の足を挿入するための履き口が形成され、前記履き口は前記アッパーの外側部材が折り返され、該折り返された部位は前記アッパーの内側部材に縫製されて履き口縁部が形成されると共に、前記履き口はくるぶしより上に位置し、前記履き口縁部の内側であって足の踵の上方の部位より前記足の甲の上方の部位に近い側であると共に、対向するように設けられた面状ファスナとを備え、底部を構成する底部材と、前記アッパーは、足の左側に位置する左側アッパー部材と、前記足の右側に位置する右側アッパー部材とを有し、前記底部材、前記左側アッパー部材及び前記右側アッパー部材は縫製により一体化され、前記底部材、前記左側アッパー部材及び前記右側アッパー部材は、何れも、外側部材、内側部材及び断熱材で構成され、前記外側部材、前記内側部材及び前記断熱材は、折り曲げ自在で、対向する面状ファス同士を接合して履き口を偏平した状態において、前記履き口の長さを保温用履物の長手方向の全長長さの少なくとも１／２以上長く設定されているものである。
【０００９】
また、請求項５記載の保温用手袋は、手の表に当接する表部と、前記手の裏に当接する裏部とを備え、この裏部と前記表部との間に手を入れる開口部を有した保温用手袋であって、前記表部及び前記裏部は、何れも、外側が気密性の素材で形成された外側部材と、内側がアルミシートである内側部材と、この内側部材と前記外側部材との間に設けられる断熱材とを有するものである。
【００１０】
また、請求項６記載の保温用手袋は、請求項５記載の保温用手袋において、開口部を残して、表部と裏部とは縫製により一体化された保温用手袋であって、断熱材は、クッション性を有するものであり、前記開口部は前記表部及び前記裏部の外側部材がそれぞれ折り返され、該折り返された部位は前記表部及び前記裏部の内側部材に縫製されて開口縁部が形成され、前記開口縁部の内側であって挿入された前記手の右側に位置すると共に、対向するように設けられた右側面状ファスナと、前記開口縁部の内側であって挿入された前記手の左側に位置すると共に、対向するように設けられた左側面状ファスナとを備えているものである。
【００１１】
また、請求項７記載の保温用手袋は、請求項５記載の保温用手袋において、開口部を残して、表部と裏部とは縫製により一体化された保温用手袋であって、断熱材は、クッション性を有するものであり、前記開口部は前記表部及び前記裏部の外側部材がそれぞれ折り返され、該折り返された部位は前記表部及び前記裏部の内側部材に縫製されて開口縁部が形成され、前記開口縁部の内側であって挿入された前記手の右側に位置すると共に、対向するように設けられた右側面状ファスナと、前記開口縁部の内側であって挿入された前記手の左側に位置すると共に、対向するように設けられた左側面状ファスナとを備え、前記右側面状ファスナは、前記開口縁部の内側に対向するように２個設けるか、または、前記開口縁部の内側に対向するように１個細長く設けるかの何れかであり、前記左側面状ファスナは、前記開口縁部の内側に対向するように２個設けるか、または、前記開口縁部の内側に対向するように１個細長く設けるかの何れかである。
【考案の効果】
【００１２】
請求項１記載の保温用履物によれば、底部及びアッパーは、何れも、外側が気密性の素材で形成された外側部材と、内側がアルミシートである内側部材と、この内側部材と前記外側部材との間に設けられる断熱材とを有するため、底部とアッパーの素材が共通しているため、簡易に製作できると共に、簡易な手段で使用者の体温を外側に逃がさないようにして使用者の体温を利用して効率良く保温することができる。
【００１３】
また、請求項２及び請求項３記載の保温用履物によれば、上述した請求項１記載の考案の効果に加え、履き口はアッパーの外側部材が折り返され、該折り返された部位はアッパーの内側部材に縫製されて履き口縁部が形成されるため、履き口において、外側部材、断熱材、内側部材の三層の積層部位が露出せず、履き口の端末が外側部材により覆われ、ほつれを防ぐと共に外観的にも見栄えが良く、また、面状ファスナは、履き口縁部の内側であって足の踵の上方の部位より足の甲の上方の部位に近い側であると共に、対向するように設けられているため、履き口の踵側（後側）ではなく履き口の前側を面状ファスナを利用して履き口を簡易に開閉でき、しかも、足に密着して閉じ、体温を外側に逃がさないようにすることができる。
【００１４】
また、請求項４記載の保温用履物によれば、上述した請求項１及び請求項２記載の考案の効果に加え、対向する面状ファス同士を接合して履き口を偏平した状態において、前記履き口の長さを保温用履物の長手方向の全長長さの少なくとも１／２以上長く設定されているため、履き口が広く、履き易い。
【００１５】
また、請求項５記載の保温用手袋によれば、表部及び裏部は、何れも、外側が気密性の素材で形成された外側部材と、内側がアルミシートである内側部材と、この内側部材と前記外側部材との間に設けられる断熱材とを有するため、表部と裏部の素材が共通しているため、簡易に製作できると共に、簡易な手段で使用者の体温を外側に逃がさないようにして使用者の体温を利用して効率良く保温することができる。
【００１６】
また、請求項６及び請求項７記載の保温用手袋によれば、上述した請求項５記載の考案の効果に加え、開口部は表部及び裏部の外側部材がそれぞれ折り返され、該折り返された部位は前記表部及び前記裏部の内側部材に縫製されて開口縁部が形成されるため、開口部において、外側部材、断熱材、内側部材の三層の積層部位が露出せず、開口部の端末が外側部材により覆われ、ほつれを防ぐと共に外観的にも見栄えが良く、また、右側面状ファスナは、開口縁部の内側であって挿入された手の右側に位置すると共に、対向するように、左側面状ファスナは、開口縁部の内側であって挿入された手の左側に位置すると共に、対向するように、それぞれ設けられているため、右側面状ファスナ及左側面状ファスナを利用して開口部を簡易に開閉でき、しかも、手首に密着して閉じ、体温を外側に逃がさないようにすることができる。
【考案を実施するための最良の形態】
【００１７】
本考案の一実施例である合成樹脂製割箸を図面を参照して説明する。
図１〜図７において、１は足の裏に当接する底部１１と、足の甲及び踵を覆うアッパー１２とを備えた保温用履物で、保温用履物１は、底部１１及びアッパー１２は、何れも、図３乃至図６に示すように、外側が気密性の素材で形成された外側部材Ｘと、内側がアルミシートである内側部材Ｙと、この内側部材Ｙと外側部材Ｘとの間に設けられる断熱材Ｚとを有する。
【００１８】
外側部材Ｘは、例えば、合成皮革で、内側部材Ｙは、例えば、アルミシート、より具体的には、ポリエチレンまたはポリプロピレンまたはポリエステル等のフィルム状の基材にアルミ箔を接着またはアルミニウムを蒸着させたもので、断熱材Ｚは、例えば、クッション性を有するもので、例えば、ガラス繊維、木綿、羊毛、ポリエチレンフォーム、ポリプロピレン、セラミックファイバー、ポリエステル綿等である。
このように、底部１１及びアッパー１２は、何れも、外側が気密性の素材で形成された外側部材Ｘと、内側がアルミシートである内側部材Ｙと、この内側部材Ｙと外側部材Ｘとの間に設けられる断熱材Ｚとを有するため、底部１１とアッパー１２の素材が共通しているため、簡易に製作することができる。
また、何れも、外側部材Ｘ、アルミシートである内側部材Ｙと、この内側部材Ｙと外側部材Ｘとの間に設けられる断熱材Ｚという簡易な手段で、使用者の足の体温を外側に逃がさないようにして使用者の足を効率良く保温することができる。
【００１９】
アッパー２には、使用者の足を挿入するための履き口２ａが形成され、履き口２ａは、図５に示すように、アッパー２の外側部材Ｘが折り返され、該折り返された部位はアッパー２の内側部材Ｙに縫製されて履き口縁部２ｂが形成されると共に履き口（トップライン）２ａは、図２に示すように、くるぶしより上に位置している。
このように、履き口２ａはアッパー２の外側部材Ｘが折り返され、該折り返された部位はアッパー２の内側部材Ｙに縫製されて履き口縁部２ｂが形成されるため、履き口２ａにおいて、外側部材Ｘ、断熱材Ｚ、内側部材Ｙの三層の積層部位が露出せず、履き口２ａの端末が外側部材Ｘにより覆われ、ほつれを防ぐと共に外観的にも見栄えが良い。
【００２０】
また、面状ファスナ３は、図１、図２及び図５に示すように、履き口縁部２ｂの内側であって足の踵の上方の部位より足の甲の上方の部位に近い側であると共に、対向するように設けられている。面状ファスナ３（３１、３２）は、履き口縁部２ｂの内側に対向するように２個設けている。場合により、図示しないが、面状ファスナを履き口縁部２ｂの内側に対向するように１個細長く設けるようにしても良い。
このように、面状ファスナ３は、履き口縁部２ｂの内側であって足の踵の上方の部位より足の甲の上方の部位に近い側であると共に、対向するように設けられているため、履き口２ａの踵側（後側）ではなく履き口２ａの前側を面状ファスナ３を利用して履き口２ａを簡易に開閉でき、しかも、足に密着して閉じ、体温を外側に逃がさないようにすることができる。
【００２１】
底部１１を構成する底部材と、アッパー１２は、足の左側に位置する左側アッパー部材１２ａと、前記足の右側に位置する右側アッパー部材１２ｂとを有し（図７参照）、底部材１１、左側アッパー部材１２ａ及び右側アッパー部材１２ｂは縫製により一体化され、底部材１１、左側アッパー部材１２ａ及び右側アッパー部材１２ｂは、何れも、外側部材Ｘ、内側部材Ｙ及び断熱材Ｚで構成され、外側部材Ｘ、内側部材Ｙ及び断熱材Ｚは、折り曲げ自在で、図８及び図９に示すように、対向する面状ファス同士３を接合して履き口２ａを偏平した状態において、履き口２ａの長さＭを保温用履物１の長手方向の全長長さＮの少なくとも１／２以上長く設定されている（Ｍ≧１／２Ｎ）。１０は、一対の保温用履物１、１を収納した包装袋である。
このように、対向する面状ファス３同士を接合して履き口２ａを偏平した状態において、履き口２ａの長さＭを保温用履物１の長手方向の全長長さＮの少なくとも１／２以上長く設定されているため、履き口２ａが広く、履き易くなる。
【００２２】
なお、上述した実施例においては、履き口縁部２ｂの内側であって、対向するように面状ファスナ３を設けるようにしたが、本考案にあっては、これに限らず、例えば、図１０に示すように、アッパー１２にバンド４を設け、このバンド４の裏面に設けた面状ファス３２と、アッパー１２の外側に設けた面状ファス３３とで係止するようにしても良い。
Ｋは、アッパー１２の前側に設けた切り込み部である。
【００２３】
また、上述した実施例においては、保温用履物１について、説明したが、本考案にあっては、これに限らず、保温用手袋１’にも同様に適用することができる（図１１乃至図１６参照）。
即ち、保温用手袋１’は、手の表に当接する表部１１’と、前記手の裏に当接する裏部１２’とを備え、この裏部１２’と表部１１’との間に手を入れる開口部２ａ’を有し、開口部２ａ’を残して、表部１１’と裏部１２’とは縫製により一体化されている。
この表部１１’及び裏部１２’は、保温用履物１と同様に、何れも、外側が気密性の素材で形成された外側部材Ｘ’と、内側がアルミシートである内側部材Ｙ’と、この内側部材Ｙ’と外側部材Ｘ’との間に設けられる断熱材Ｚ’とを有している。
外側部材Ｘ’は、上述の実施例と同様、例えば、合成皮革で、内側部材Ｙ’は、上述の実施例と同様、例えば、アルミシート、より具体的には、ポリエチレンまたはポリプロピレンまたはポリエステル等のフィルム状の基材にアルミ箔を接着またはアルミニウムを蒸着させたもので、断熱材Ｚ’は、上述の実施例と同様、例えば、クッション性を有するもので、例えば、ガラス繊維、木綿、羊毛、ポリエチレンフォーム、ポリプロピレン、セラミックファイバー、ポリエステル綿等である。
【００２４】
このように表部１１’及び裏部１２’は、何れも、外側が気密性の素材で形成された外側部材Ｘ’と、内側がアルミシートである内側部材Ｙ’と、この内側部材Ｙ’と外側部材Ｘ’との間に設けられる断熱材Ｚ’とを有するため、表部１１’と裏部１２’の素材が共通しているため、簡易に製作できると共に、外側が気密性の素材で形成された外側部材Ｘ’と、内側がアルミシートである内側部材Ｙ’と、この内側部材Ｙ’と外側部材Ｘ’との間に設けられる断熱材Ｚ’とを有するため、簡易な手段で使用者の手の体温を外側に逃がさないようにして使用者の手を効率良く保温することができる。
【００２５】
なお、開口部２ａ’は表部１１’及び裏部１２’の外側部材Ｘ’がそれぞれ折り返され、該折り返された部位は表部１１’及び裏部１２’の内側部材Ｙ’に縫製されて開口縁部２ｂ’が形成されている。
３’は、開口縁部２ｂ’の内側であって挿入された手の右側に位置すると共に、対向するように設けられた右側面状ファスナで、３”は、開口縁部２ｂ’の内側であって挿入された手の左側に位置すると共に、対向するように設けられた左側面状ファスナである。  
【００２６】
このように、開口部２ａ’は表部１１’及び裏部１２’の外側部材Ｘ’がそれぞれ折り返され、該折り返された部位は表部１１’及び裏部１２’の内側部材に縫製されて開口縁部２ｂ’が形成されるため、開口部２ａ’において、外側部材Ｘ’、断熱材Ｚ’、内側部材Ｙ’の三層の積層部位が露出せず、開口部２ａ’の端末が外側部材Ｘ’により覆われ、ほつれを防ぐと共に外観的にも見栄えが良く、また、右側面状ファスナ３’は、開口縁部２ｂ’の内側であって挿入された手の右側に位置すると共に、対向するように、左側面状ファスナ３”は、開口縁部２ｂ’の内側であって挿入された手の左側に位置すると共に、対向するように、それぞれ設けられているため、右側面状ファスナ３’及び左側面状ファスナ３”を利用して開口部２ａ’を簡易に開閉でき、しかも、手首に密着して閉じ、体温を外側に逃がさないようにすることができる。
なお、右側面状ファスナ３’（３１’、３２’）は、開口縁部２ｂ’の内側に対向するように２個、左側面状ファスナ３”（３１”、３２”）は、開口縁部２ｂ’の内側に対向するように２個、それぞれ設けている。場合により、図示しないが、右側面状ファスナ３’及び左側面状ファスナ３”を履き口縁部２ｂの内側に対向するように１個細長く設けるようにしても良い。
【図面の簡単な説明】
【００２７】
【図１】図１は、本考案の一実施例の保温用履物の概略的斜視図である。
【図２】図２は、図１の保温用履物の使用状態の概略的斜視図である。
【図３】図３は、図１の保温用履物の概略的側面図である。
【図４】図４は、図３の４−４線による概略的断面図である。
【図５】図５は、図４の矢印Ａの部分の概略的一部拡大断面図である。
【図６】図６は、図４の矢印Ｂの部分の概略的一部拡大断面図である。
【図７】図７は、図１の保温用履物の縫製前の状態の概略的平面図である。
【図８】図８は、図１の保温用履物を一対包装袋に収納した状態の概略的平面図である。
【図９】図９は、図８の概略的断面図である。
【図１０】図１０は、図１の保温用履物と異なる他の実施例の保温用履物の概略的斜視図である。
【図１１】図１１は、本考案の一実施例の保温用手袋の概略的斜視図である。
【図１２】図１２は、図１１の保温用手袋の使用状態の概略的斜視図である。
【図１３】図１３は、図１１の１３−１３線による概略的断面図である。
【図１４】図１４は、図１３の一部を拡大して示す概略的一部拡大断面図である。
【図１５】図１５は、図１１の１５−１５線による概略的断面図である。
【図１６】図１６は、図１１の１６−１６線による概略的断面図である。
【符号の説明】
【００２８】
１    …保温用履物
１１  …底部
１２  …アッパー
Ｘ    …外側部材
Ｙ    …内側部材
Ｚ    …断熱材
【図１】
0003128875.tif 000003
【図２】
0003128875.tif 000004
【図３】
0003128875.tif 000005
【図４】
0003128875.tif 000006
【図５】
0003128875.tif 000007
【図６】
0003128875.tif 000008
【図７】
0003128875.tif 000009
【図８】
0003128875.tif 000010
【図９】
0003128875.tif 000011
【図１０】
0003128875.tif 000012
【図１１】
0003128875.tif 000013
【図１２】
0003128875.tif 000014
【図１３】
0003128875.tif 000015
【図１４】
0003128875.tif 000016
【図１５】
0003128875.tif 000017
【図１６】
0003128875.tif 000018